(57)【要約】【課題】利便性の低下を抑制しつつ、消費電力を低減できる無線端末装置及び通信制御方法を提供すること。【解決手段】スマートフォン１は、タッチスクリーンディスプレイ２の電源がオンの状態において、ＷｉＭＡＸにおけるデータ通信のセッションが切断された場合、第１時間にわたりＷｉＭＡＸのサーチを行い、タッチスクリーンディスプレイ２の電源がオフの状態において、ＷｉＭＡＸにおいてデータ通信が行われていない状態でＷｉＭＡＸにおけるデータ通信のセッションが切断された場合、第１時間よりも短い第２時間にわたりＷｉＭＡＸのサーチを行うコントローラ１０を備える。【選択図】図５
2014007652.tif 000002
【特許請求の範囲】
【請求項１】
ＩＥＥＥ８０２．１６ｅに準拠している無線通信システムにより無線通信を行う通信部と、
表示部と、
前記表示部の電源がオンの状態において、前記無線通信システムにおけるセッションが切断された場合、第１時間にわたり前記無線通信システムのサーチを行う制御部と、を備え、
前記制御部は、前記表示部の電源がオフの状態でかつ、前記無線通信システムにおいてデータ通信が行われていない状態で、前記無線通信システムにおけるデータ通信のセッションが切断された場合、前記第１時間よりも短い第２時間にわたり前記無線通信システムのサーチを行う無線端末装置。
【請求項２】
ＩＥＥＥ８０２．１６ｅに準拠している無線通信システムにより無線通信を行う通信部と、
表示部と、
前記表示部の電源がオンの状態において、前記無線通信システムにおけるセッションが切断された場合、前記無線通信システムのサーチを行う制御部と、を備え、
前記制御部は、前記表示部の電源がオフの状態でかつ、前記無線通信システムにおいてデータ通信が行われていない状態で、前記無線通信システムにおけるデータ通信のセッションが切断された場合、前記無線通信システムのサーチを行わない無線端末装置。
【請求項３】
ＩＥＥＥ８０２．１６ｅに準拠している無線通信システムにより無線通信を行う通信部と、
表示部と、
前記表示部の電源がオンの状態において、前記無線通信システムにおけるセッションが切断された場合、所定時間にわたり前記無線通信システムのサーチを行う制御部と、を備え、
前記制御部は、前記表示部の電源がオフの状態において、データ通信が行われていない状態に移行した場合に前記所定時間を短くする無線端末装置。
【請求項４】
前記制御部は、前記表示部の電源がオフの状態からオンの状態に遷移した場合、前記所定時間を短くする前の時間に戻す、
請求項３に記載の無線端末装置。
【請求項５】
ＩＥＥＥ８０２．１６ｅに準拠している無線通信システムにより無線通信を行う通信部と、
表示部と、
前記表示部の電源がオンの状態において、前記無線通信システムにおけるセッションが切断された場合、前記無線通信システムのサーチを行う制御部と、を備え、
前記制御部は、前記表示部の電源がオフの状態において、前記無線通信システムにおいてデータ通信が行われていない状態に移行した場合に前記無線通信システムのサーチを無効にする無線端末装置。
【請求項６】
前記制御部は、前記表示部の電源がオフの状態において、前記無線通信システムにおいてデータ通信が行われている状態でデータ通信のセッションが切断された場合、第１時間にわたり前記無線通信システムのサーチを行う、
請求項１から５のいずれか１項に記載の無線端末装置。
【請求項７】
ＩＥＥＥ８０２．１６ｅに準拠している無線通信システムにより無線通信を行う通信部と、表示部とを備える無線端末装置の通信制御方法であって、
前記表示部の電源がオンの状態において、前記無線通信システムにおけるセッションが切断された場合、第１時間にわたり前記無線通信システムのサーチを行い、前記表示部の電源がオフの状態でかつ、前記無線通信システムにおいてデータ通信が行われていない状態で、前記無線通信システムにおけるデータ通信のセッションが切断された場合、前記第１時間よりも短い第２時間にわたり前記無線通信システムのサーチを行う通信制御方法。
【発明の詳細な説明】
【技術分野】
【０００１】
本発明は、省電力状態へ遷移可能な無線端末装置及び通信制御方法に関する。
【背景技術】
【０００２】
従来、スマートフォン又はタブレット端末等、タッチスクリーンディスプレイを備える無線端末装置が知られている。これらの無線端末装置は、高機能化に伴ってアプリケーションの実行、表示及び通信等に多くの電力を必要とする傾向にあるため、特に携帯型の無線端末装置では、ユーザの利便性を低下させることなく消費電力を低減させることが求められている。
【０００３】
このような状況において、無線端末装置において消費電力を低減させる技術が提案されている（例えば、特許文献１参照）。また、無線端末装置では、設定によっては、スクリーンがオフになると装置本体が省電力のスリープ状態へ遷移する機能が設けられる場合もある。
【先行技術文献】
【特許文献】
【０００４】
【特許文献１】特開２００９−４９８７５号公報
【発明の概要】
【発明が解決しようとする課題】
【０００５】
ところで、無線端末装置は、例えば、ＷｉＭＡＸ（登録商標）に接続中（アクティブ状態若しくはアイドル状態）は、スクリーンがオフになった場合であっても、接続を維持したり、セッション切断時にサーチを行う。
【０００６】
しかしながら、スクリーンがオフになった場合、再びスクリーンがオンになるまでは、ユーザ操作が行われないため、データ通信が新たに発生する可能性は低い。したがって、無用に電力が消費されるおそれがあった。
【０００７】
本発明は、利便性の低下を抑制しつつ、消費電力を低減できる無線端末装置及び通信制御方法を提供することを目的とする。
【課題を解決するための手段】
【０００８】
本発明に係る無線端末装置は、ＩＥＥＥ８０２．１６ｅに準拠している無線通信システムにより無線通信を行う通信部と、表示部と、前記表示部の電源がオンの状態において、前記無線通信システムにおけるセッションが切断された場合、第１時間にわたり前記無線通信システムのサーチを行う制御部と、を備え、前記制御部は、前記表示部の電源がオフの状態でかつ、前記無線通信システムにおいてデータ通信が行われていない状態で、前記無線通信システムにおけるデータ通信のセッションが切断された場合、前記第１時間よりも短い第２時間にわたり前記無線通信システムのサーチを行うことを特徴とする。
【０００９】
本発明に係る無線端末装置は、ＩＥＥＥ８０２．１６ｅに準拠している無線通信システムにより無線通信を行う通信部と、表示部と、前記表示部の電源がオンの状態において、前記無線通信システムにおけるセッションが切断された場合、前記無線通信システムのサーチを行う制御部と、を備え、前記制御部は、前記表示部の電源がオフの状態でかつ、前記無線通信システムにおいてデータ通信が行われていない状態で、前記無線通信システムにおけるデータ通信のセッションが切断された場合、前記無線通信システムのサーチを行わないことを特徴とする。
【００１０】
本発明に係る無線端末装置は、ＩＥＥＥ８０２．１６ｅに準拠している無線通信システムにより無線通信を行う通信部と、表示部と、前記表示部の電源がオンの状態において、前記無線通信システムにおけるセッションが切断された場合、所定時間にわたり前記無線通信システムのサーチを行う制御部と、を備え、前記制御部は、前記表示部の電源がオフの状態において、データ通信が行われていない状態に移行した場合に前記所定時間を短くすることを特徴とする。
【００１１】
また、本発明に係る無線端末装置では、前記制御部は、前記表示部の電源がオフの状態からオンの状態に遷移した場合、前記所定時間を短くする前の時間に戻すことが好ましいい。
【００１２】
本発明に係る無線端末装置は、ＩＥＥＥ８０２．１６ｅに準拠している無線通信システムにより無線通信を行う通信部と、表示部と、前記表示部の電源がオンの状態において、前記無線通信システムにおけるセッションが切断された場合、前記無線通信システムのサーチを行う制御部と、を備え、前記制御部は、前記表示部の電源がオフの状態において、前記無線通信システムにおいてデータ通信が行われていない状態に移行した場合に前記無線通信システムのサーチを無効にする。
【００１３】
また、本発明に係る無線端末装置では、前記制御部は、前記表示部の電源がオフの状態において、前記無線通信システムにおいてデータ通信が行われている状態でデータ通信のセッションが切断された場合、第１時間にわたり前記無線通信システムのサーチを行うことが好ましい。
【００１４】
本発明に係る通信制御方法は、ＩＥＥＥ８０２．１６ｅに準拠している無線通信システムにより無線通信を行う通信部と、表示部とを備える無線端末装置の通信制御方法であって、前記表示部の電源がオンの状態において、前記無線通信システムにおけるセッションが切断された場合、第１時間にわたり前記無線通信システムのサーチを行い、前記表示部の電源がオフの状態でかつ、前記無線通信システムにおいてデータ通信が行われていない状態で、前記無線通信システムにおけるデータ通信のセッションが切断された場合、前記第１時間よりも短い第２時間にわたり前記無線通信システムのサーチを行うことを特徴とする。
【発明の効果】
【００１５】
本発明によれば、無線端末装置は、利便性の低下を抑制しつつ、消費電力を低減できる。
【図面の簡単な説明】
【００１６】
【図１】図１は、実施形態に係るスマートフォンの外観を示す斜視図である。
【図２】図２は、実施形態に係るスマートフォンの外観を示す正面図である。
【図３】図４は、実施形態に係るスマートフォンの外観を示す背面図である。
【図４】図４は、実施形態に係るスマートフォンの構成を示すブロック図である。
【図５】図５は、実施形態に係る通信ユニット及びコントローラの詳細な機能を示すブロック図である。
【図６】図６は、実施形態に係る状態遷移のパターンを時系列に示す図である。
【図７】図７は、実施形態に係るスマートフォンにおけるタイム値の変更に係る処理を示すフローチャートである。
【図８】図８は、実施形態に係るスマートフォンにおける通信処理部の遷移に係る処理を示すフローチャートである。
【発明を実施するための形態】
【００１７】
本発明を実施するための実施形態を、図面を参照しつつ詳細に説明する。以下では、無線端末装置の一例として、スマートフォンについて説明する。
【００１８】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１９】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２０】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２１】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２２】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２３】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２４】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２５】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２６】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２７】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２８】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２９】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３０】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３１】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３２】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３３】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３４】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３５】
照度センサ４は、照度を検出する。例えば、照度とは、光の強さ、明るさ、輝度等である。照度センサ４は、例えば、ディスプレイ２Ａの輝度の調整に用いられる。
【００３６】
近接センサ５は、近隣の物体の存在を非接触で検出する。近接センサ５は、例えば、タッチスクリーンディスプレイ２が顔に近付けられたことを検出する。
【００３７】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３８】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３９】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４０】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４１】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００４２】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４３】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４４】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４６】
カメラ１２は、フロントフェイス１Ａに面している物体を撮影するインカメラである。カメラ１３は、バックフェイス１Ｂに面している物体を撮影するアウトカメラである。
【００４７】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００４８】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００４９】
このように構成されるスマートフォン１は、消費電力を低減することができる。以下に、具体的に構成について説明する。
【００５０】
図５は、スマートフォン１における通信ユニット６及びコントローラ１０（制御部）の詳細な機能を示すブロック図である。
なお、スマートフォン１は、データ通信を行う無線通信システムとして、ＩＥＥＥ８０２．１１で規定されるＷｉＦｉ、ＩＥＥＥ８０２．１６ｅ（ＩＥＥＥ８０２．１６−２００４）で規定されているＷｉＭＡＸ、及び３Ｇ方式の無線通信システム（例えば、ＣＤＭＡ２０００＿１ｘＥＶＤＯ、Ｗ−ＣＤＭＡ等である。以下、３Ｇシステムという。）に対応しているものとする。
【００５１】
通信ユニット６は、Ｗｉｆｉに対応する通信処理部６１Ａ、無線部６２Ａ及びアンテナ６３Ａと、ＷｉＭＡＸに対応する通信処理部６１Ｂ（通信部）、無線部６２Ｂ及びアンテナ６３Ｂと、３Ｇシステムに対応する通信処理部６１Ｃ、無線部６２Ｃ及びアンテナ６３Ｃとを備える。
【００５２】
通信処理部６１（Ａ、Ｂ及びＣ）は、それぞれ対応する無線部６２（Ａ、Ｂ及びＣ）を制御し、無線通信システムへの接続、切断等の状態遷移を司る。
無線部６２（Ａ、Ｂ及びＣ）は、それぞれ対応するアンテナ６３（Ａ、Ｂ及びＣ）より受信した信号を復調処理し、処理後の信号を通信処理部６１へ供給し、また、通信処理部６１から供給された信号を変調処理し、アンテナ６３から外部装置へ送信する。
【００５３】
コントローラ１０は、通信処理部６１（Ａ、Ｂ及びＣ）に対して所定の制御を行い、省電力のための状態遷移を指示する。
具体的には、コントローラ１０は、ＷｉＭＡＸにおけるデータ通信のセッションが切断された（ロストした）場合、通信処理部６１Ｂを制御して、ストレージ９に記憶されているタイマ値にわたりＷｉＭＡＸの基地局のサーチを行う。このストレージ９に記憶されているタイマ値は、タッチスクリーンディスプレイ２の電源がオンの状態において、第１時間（例えば、５秒又は５０秒）に設定されている。
【００５４】
コントローラ１０は、タッチスクリーンディスプレイ２の電源がオンの状態において、ＷｉＭＡＸにおけるセッションが切断された（圏外状態となった）場合、通信処理部６１Ｂを制御して、ストレージ９に記憶されているタイマ値（第１時間）にわたりＷｉＭＡＸの基地局のサーチを行い、セッションの確立（通信接続）を試みる。コントローラ１０は、セッションの確立に成功した場合、ＷｉＭＡＸにおけるデータ通信を継続する。コントローラ１０は、セッションの確立に失敗した場合、ＷｉＭＡＸによる通信が圏外である旨を、タッチスクリーンディスプレイ２に表示させる。
【００５５】
コントローラ１０は、タッチスクリーンディスプレイ２の電源がオフの状態において、ＷｉＭＡＸにおいてデータ通信が行われていないことを検出すると、ストレージ９に記憶されているタイマ値を、第１時間よりも短い第２時間（例えば、５秒又は０秒）に設定する。
ここで、コントローラ１０は、タッチスクリーンディスプレイ２の電源がオフの状態において、ＷｉＭＡＸにおいてデータ通信が行われている状態から、データ通信が行われていない状態に移行した場合についても、ストレージ９に記憶されているタイマ値を、第２時間に設定する。
【００５６】
そして、コントローラ１０は、タッチスクリーンディスプレイ２の電源がオフであり、ＷｉＭＡＸにおいてデータ通信が行われていない状態でＷｉＭＡＸにおけるデータ通信のセッションが切断された場合、通信処理部６１Ｂを制御して、ストレージ９に記憶されているタイマ値（第２時間）にわたりＷｉＭＡＸの基地局のサーチを行い、セッションの確立を試みる。
他方、コントローラ１０は、タッチスクリーンディスプレイ２の電源がオフであり、ＷｉＭＡＸにおいてデータ通信が行われている状態でＷｉＭＡＸにおけるデータ通信のセッションが切断された場合、通信処理部６１Ｂを制御して、ストレージ９に記憶されているタイマ値（第１時間）にわたりＷｉＭＡＸの基地局のサーチを行い、セッションの確立を試みる。
【００５７】
コントローラ１０は、当該サーチによりセッションが確立できなかった場合に、通信処理部６１Ｂを、当該サーチを行わないモード（例えば、通信処理部６１Ｂがシャットダウンの状態）へ遷移させる。このモードは、リスニング（基地局からのメッセージを受信）しないものが好適である。リスニングしないものとは、例えば、リスニングインターバルやリスニングウィンドウ等がないものを意味する。
【００５８】
これにより、スマートフォン１は、例えば、電波状況が一時的に悪化したためにＷｉＭＡＸをロストしたが、短時間で電波状況が改善したために継続してデータ通信が可能な場合に、第１時間によってＷｉＭＡＸのサーチを行い、通信処理部６１Ｂをサーチを行わないモードへ遷移させない。また、タッチスクリーンディスプレイ２の電源がオフの状態において、ＷｉＭＡＸにおいてデータ通信が行われていない場合、スマートフォン１のユーザは、ＷｉＭＡＸによる通信を利用していない。この場合において、スマートフォン１は、タイマ値を第１時間より短い第２時間に設定することにより、ＷｉＭＡＸにおけるセッションの確立とセッションの切断とが繰り返して行われることを抑制することができる。よって、スマートフォン１は、利便性の低下を抑制しつつ、消費電力を低減することができる。
【００５９】
また、コントローラ１０は、ストレージ９に記憶されているタイマ値が第２時間である場合に、タッチスクリーンディスプレイ２の電源がオフの状態からオンの状態に遷移したことを検出すると、ストレージ９に記憶されているタイマ値を、第２時間にする前の時間、すなわち、第１時間に戻す。同様に、コントローラ１０は、ストレージ９に記憶されているタイマ値が第２時間である場合に、ＷｉＭＡＸにおけるデータ通信が行われたことを検出すると、ストレージ９に記憶されているタイマ値を、第１時間に設定する。
【００６０】
このようにすることで、コントローラ１０は、タイマ値が第２時間に設定された後であっても、タッチスクリーンディスプレイ２の電源がオンの状態になったこと、又はデータ通信が行われていることを検出して、タイマ値を第１時間に設定することができる。
【００６１】
なお、上述した説明では、タッチスクリーンディスプレイ２の電源がオフであり、ＷｉＭＡＸにおいてデータ通信が行われていない状態でＷｉＭＡＸにおけるデータ通信のセッションが切断された場合、コントローラ１０が、通信処理部６１Ｂを制御し、第２時間にわたってセッションの確立を試みることとしたが、これに限らない。
【００６２】
コントローラ１０は、タッチスクリーンディスプレイ２の電源がオフであり、ＷｉＭＡＸにおいてデータ通信が行われていない状態でＷｉＭＡＸにおけるデータ通信のセッションが切断された場合、セッションの確立を試みることなく、通信処理部６１Ｂを、サーチを行わないモードへ遷移させるようにしてもよい。
【００６３】
このような構成において、コントローラ１０は、タッチスクリーンディスプレイ２の電源がオフの状態において、ＷｉＭＡＸにおいてデータ通信が行われていないことを検出した場合に、ストレージ９に記憶されているタイマ値を０、すなわち、セッションの確立を試行する時間を無効とする。また、コントローラ１０は、タッチスクリーンディスプレイ２の電源がオフの状態において、ＷｉＭＡＸにおいてデータ通信が行われている状態から、データ通信が行われていない状態に移行した場合に、ストレージ９に記憶されているタイマ値を０、すなわち、セッションの確立を試行する時間を無効（セッションの確立の試行を無効）とする。
【００６４】
このようにすることで、スマートフォン１は、タッチスクリーンディスプレイ２の電源がオフの状態において、第１の無線通信システムにおいてデータ通信が行われていない場合に、セッションを再確立するための処理を省略するので、さらに消費電力を低減することができる。
【００６５】
図６は、通信処理部６１Ｂの状態遷移のパターンを時系列に示す図である。
図６（ａ）に示されるパターンでは、時刻ｔ２より前で、通信処理部６１ＢがＷｉＭＡＸにおけるデータ通信のセッションを保持し、ＩＥＥＥ８０２．１６ｅ（ＩＥＥＥ８０２．１６−２００４）で規定されているアクティブモード（データ通信中）となっている。
【００６６】
時刻ｔ１において、タッチスクリーンディスプレイ２の電源がオフになると、コントローラ１０は、ＷｉＭＡＸにおけるデータ通信がアイドルモードであるか否かの判定を開始する。時刻ｔ１では、ＷｉＭＡＸにおけるデータ通信がアクティブモードであるため、コントローラ１０は、タイマ値の変更を行わない。
【００６７】
時刻ｔ２において、ＷｉＭＡＸにおけるデータ通信がアクティブモードからアイドルモードに遷移したことに応じて、コントローラ１０は、ＷｉＭＡＸにおけるデータ通信がアクティブモードからアイドルモードに遷移したことを検出する。コントローラ１０は、ストレージ９に記憶されているタイマ値を第１時間から第２時間に変更する。この状態で、ＷｉＭＡＸにおける通信が切断されると、コントローラ１０は、通信処理部６１Ｂを制御して、第２時間にわたりＷｉＭＡＸの基地局のサーチを行う。
【００６８】
時刻ｔ３において、タッチスクリーンディスプレイ２の電源がオンになると、コントローラ１０は、ストレージ９に記憶されているタイマ値を第２時間から第１時間に変更する。この状態で、ＷｉＭＡＸにおける通信が切断されると、コントローラ１０は、通信処理部６１Ｂを制御して、第１時間にわたりＷｉＭＡＸの基地局のサーチを行う。
【００６９】
図６（ｂ）に示されるパターンでは、時刻ｔ１０において、ＷｉＭＡＸにおけるデータ通信がアクティブモードからアイドルモードに遷移する。
【００７０】
時刻ｔ１１において、タッチスクリーンディスプレイ２の電源がオフになると、コントローラ１０は、ＷｉＭＡＸにおけるデータ通信がアイドルモードであるか否かの判定を開始する。時刻ｔ１１では、ＷｉＭＡＸにおけるデータ通信がアイドルモードであるため、コントローラ１０は、ストレージ９に記憶されているタイマ値を第１時間から第２時間に変更する。この状態で、ＷｉＭＡＸにおける通信が切断されると、コントローラ１０は、通信処理部６１Ｂを制御して、第２時間にわたりＷｉＭＡＸの基地局のサーチを行う。
【００７１】
時刻ｔ１２において、タッチスクリーンディスプレイ２の電源がオンになると、コントローラ１０は、ストレージ９に記憶されているタイマ値を第２時間から第１時間に変更する。この状態で、ＷｉＭＡＸにおける通信が切断されると、コントローラ１０は、通信処理部６１Ｂを制御して、第１時間にわたりＷｉＭＡＸの基地局のサーチを行う。
【００７２】
図７は、スマートフォン１におけるタイム値の変更に係る処理を示すフローチャートである。なお、本処理は、ＷｉＭＡＸにおいて通信が接続されている場合に実行される。
【００７３】
ステップＳ１において、コントローラ１０は、タッチスクリーンディスプレイ２の電源がオフか否かを判定する。コントローラ１０は、この判定がＹＥＳの場合、ステップＳ２に処理を移し、この判定がＮＯの場合、ステップＳ５に処理を移す。
【００７４】
ステップＳ２において、コントローラ１０は、ＷｉＭＡＸのデータ通信セッションがアイドルモードか否かを判定する。この判定がＹＥＳの場合、ステップＳ３に処理を移し、判定がＮＯの場合、ステップＳ５に処理を移す。
【００７５】
ステップＳ３において、コントローラ１０は、ストレージ９に記憶されているタイム値が第１時間であるか否かを判定する。コントローラ１０は、この判定がＹＥＳの場合、ステップＳ４に処理を移し、この判定がＮＯの場合、本フローチャートの処理を終了する。
【００７６】
ステップＳ４において、コントローラ１０は、ストレージ９に記憶されているタイム値を第２時間に設定する。
ステップＳ５において、コントローラ１０は、ストレージ９に記憶されているタイム値が第２時間であるか否かを判定する。コントローラ１０は、この判定がＹＥＳの場合、ステップＳ６に処理を移し、この判定がＮＯの場合、本フローチャートの処理を終了する。
ステップＳ６において、コントローラ１０は、ストレージ９に記憶されているタイム値を第１時間に設定する。
【００７７】
図８は、スマートフォン１における通信処理部６１Ｂの遷移に係る処理を示すフローチャートである。
ステップＳ１１において、コントローラ１０は、通信処理部６１ＢにおけるＷｉＭＡＸの通信が切断されたか否かを判定する。コントローラ１０は、この判定がＹＥＳの場合、ステップＳ１２に処理を移し、この判定がＮＯの場合、ステップＳ１１を再実行する。
【００７８】
ステップＳ１２において、コントローラ１０は、通信処理部６１Ｂを制御し、ストレージ９に記憶されているタイム値に基づいてＷｉＭＡＸの基地局をサーチする。タイム値は、図７に示す処理において、第１時間又は第２時間のいずれかに設定されている。
【００７９】
ステップＳ１３において、コントローラ１０は、通信処理部６１Ｂにおいて通信接続ができたか否かを判定する。コントローラ１０は、この判定がＹＥＳの場合、ステップＳ１１に処理を移し、この判定がＮＯの場合、ステップＳ１４に処理を移す。
【００８０】
ステップＳ１４において、コントローラ１０は、タッチスクリーンディスプレイ２がオフであるか否かを判定する。コントローラ１０は、この判定がＹＥＳの場合、ステップＳ１５に処理を移し、この判定がＮＯの場合、ステップＳ１６に処理を移す。
【００８１】
ステップＳ１５において、コントローラ１０は、通信処理部６１Ｂを、サーチを行わないモードへ遷移させる。コントローラ１０は、この処理が終了すると、本フローチャートの処理を終了する。
【００８２】
ステップＳ１６において、コントローラ１０は、ＷｉＭＡＸによる通信が通信圏外である旨をタッチスクリーンディスプレイ２に表示させる。その後、コントローラ１０は、ステップＳ１２に処理を移す。
【００８３】
以上、本実施形態によれば、スマートフォン１は、コントローラ１０により、タッチスクリーンディスプレイ２の電源がオンの状態において、ＷｉＭＡＸにおけるデータ通信のセッションが切断された場合、第１時間にわたりＷｉＭＡＸのサーチを行う。また、スマートフォン１は、コントローラ１０により、タッチスクリーンディスプレイ２の電源がオフの状態において、ＷｉＭＡＸにおいてデータ通信が行われていない状態でＷｉＭＡＸにおけるデータ通信のセッションが切断された場合、第１時間よりも短い第２時間にわたりＷｉＭＡＸのサーチを行い、当該サーチによりセッションが確立できなかった場合に通信処理部６１Ｂを、サーチを行わないモードへ遷移させる。
【００８４】
これにより、スマートフォン１は、セッションが切断された後に、セッションが再び確立されることを抑制して、消費電力を低減することができる。また、スマートフォン１は、タッチスクリーンディスプレイ２の電源がオフであり、ＷｉＭＡＸにおいてデータ通信が行われていない状態において、第２時間でＷｉＭＡＸのサーチを行うので、利便性の低下を抑制することができる。したがって、スマートフォン１は、利便性の低下を抑制しつつ、消費電力を低減することができる。
【００８５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００８６】
図４及び図５に示したスマートフォン１の構成は一例であり、本発明の要旨を損なわない範囲において適宜変更してよい。
例えば、表示部は、タッチスクリーン２Ｂによる検出機能を有するタッチスクリーンディスプレイ２としたが、検出機能を有さない表示装置であってもよい。
また、通信処理部６１は、ＷｉＦｉ、ＷｉＭＡＸ及び３Ｇシステムに対応するものとして説明したが、これには限られず、他の無線通信システムであってもよいし、４以上の無線通信システムに対応していてもよい。
【００８７】
なお、図４においてストレージ９が記憶することとしたプログラムの一部又は全部は、通信ユニット６による無線通信で他の装置からダウンロードされてもよい。また、図４においてストレージ９が記憶することとしたプログラムの一部又は全部は、ストレージ９に含まれる読み取り装置が読み取り可能な記憶媒体に記憶されていてもよい。また、図４においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
また、図４に示した各プログラムは、複数のモジュールに分割されていてもよいし、他のプログラムと結合されていてもよい。
【００８８】
また、前述の実施形態では、無線端末装置の一例として、スマートフォンについて説明したが、無線端末装置は、スマートフォンに限定されない。例えば、無線端末装置は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。また、無線端末装置は、デスクトップパソコン、テレビ受像器等の据え置き型の電子機器であってもよい。
【符号の説明】
【００８９】
１  スマートフォン（無線端末装置）
２  タッチスクリーンディスプレイ（表示部）
６  通信ユニット
１０  コントローラ（制御部）
６１Ｂ  通信処理部（通信部）
【図１】
2014007652.tif 000003
【図２】
2014007652.tif 000004
【図３】
2014007652.tif 000005
【図４】
2014007652.tif 000006
【図５】
2014007652.tif 000007
【図６】
2014007652.tif 000008
【図７】
2014007652.tif 000009
【図８】
2014007652.tif 000010